(57)【要約】【課題】避雷針を絶縁ケースの溝内の最外側に安定的に配置してタッチパネルのアンテナパターンとの間に所要の距離を確保することができる操作パネルユニットの避雷針固定構造を提供すること。【解決手段】矩形枠状の絶縁ケース２の開口部２ａをタッチパネル３で覆い、該タッチパネル３の内面側にＬＣＤ４を配置するとともに、前記絶縁ケース２の開口部２ａ周縁に沿って形成された溝６に針金を屈曲して成る矩形枠状の避雷針５を配置して構成される操作パネルユニット１の前記避雷針５の固定構造として、前記避雷針５の一辺を外側に向かって開くよう成形し、前記絶縁ケース２の溝６に沿って形成された複数の差込孔７に楔状のサポート片８を挿入固定し、前記絶縁ケース２の溝６に配置された前記避雷針５を前記サポート片８によって前記溝６の幅方向外側に押圧する構成を採用する。【選択図】図３
2014182625.tif 000002
【特許請求の範囲】
【請求項１】
矩形枠状の絶縁ケースの開口部をタッチパネルで覆い、該タッチパネルの内面側にＬＣＤを配置するとともに、前記絶縁ケースの開口部周縁に沿って形成された溝に針金を屈曲して成る矩形枠状の避雷針を配置して構成される操作パネルユニットの前記避雷針の固定構造であって、
前記避雷針の一辺を外側に向かって開くよう成形し、前記絶縁ケースの溝に沿って形成された複数の差込孔に楔状のサポート片を挿入固定し、前記絶縁ケースの溝に配置された前記避雷針を前記サポート片によって前記溝の幅方向外側に押圧するようにしたことを特徴とする操作パネルユニットの避雷針固定構造。
【請求項２】
前記避雷針の一方の長辺の長手方向略中央に該避雷針の切れ目を位置させ、該切れ目によって２分割された長辺の各分割片を外側に開く角度に折り曲げたことを特徴とする請求項１記載の操作パネルユニットの避雷針固定構造。
【請求項３】
前記サポート片の上端に、前記絶縁ケースの溝の一部を上方から部分的に覆う突起を突設したことを特徴とする請求項１又は２記載の操作パネルユニットの避雷針固定構造。
【発明の詳細な説明】
【技術分野】
【０００１】
本発明は、操作パネルユニットに備えられたタッチパネルの静電気対策に用いられる避雷針の固定構造に関するものである。
【背景技術】
【０００２】
例えば、電子手帳、複写機やプリンタ等の画像形成装置、パソコン等の情報機器には入力装置として操作パネルユニットが備えられているが、斯かる操作パネルユニットに備えられたタッチパネルの静電気対策には従来から避雷針が用いられている（例えば、特許文献１参照）。ここで、操作パネルユニットにおける避雷針の従来の固定構造を図１０〜図１２に基づいて以下に説明する。
【０００３】
即ち、図１０は従来の避雷針固定構造を備える操作パネルユニットの分解斜視図、図１１は同操作パネルユニットの底面図、図１２は図１１のＣ−Ｃ線断面図であり、図示の操作パネルユニット１０１は、非導電性樹脂によって矩形枠状に一体成形された絶縁ケース１０２の開口部１０２ａを矩形プレート状のタッチパネル１０３で覆い、該タッチパネル１０３の内面側にＬＣＤ１０４を配置して構成されている。
【０００４】
上記タッチパネル１０３は、透視した画面の支持に従って指やペン等でこれを押圧すると、その押圧された位置の座標を読み取るアンテナパターンを備えており、これが静電気の影響を受けるとノイズの発生やアンテナパターン等の破壊（静電破壊）等が引き起こされ、座標検出が不安定或いは不可能になるという問題が発生する。
【０００５】
そこで、ダッチパネル１０３の周囲に矩形枠状の避雷針１０５を配置する構成が採用されている。ここで、避雷針１０５は、針金を矩形枠状に屈曲成形することによって得られ、タッチパネル１０３のアンテナパターンとの間に所定の距離を確保するために可能な限り外側に配置されることが望ましい。このため、図１２に示すように、絶縁ケース１０２の開口部１０２ａの周縁に沿って溝１０６を形成し、この溝１０６に避雷針１０５を嵌め込んで配置する構成が採用されている。
【先行技術文献】
【特許文献】
【０００６】
【特許文献１】特開２０１０−１２８７２６号公報
【発明の概要】
【発明が解決しようとする課題】
【０００７】
ところで、図１０〜図１２に示す避雷針１０５の固定構造を採用する場合、絶縁ケース１０２に形成される溝１０６は、避雷針１０５の変形や成形型の強度等を考慮して或る程度の幅が必要である。このため、溝１０６と避雷針１０５との間に隙間が生じ、溝１０６内での避雷針１０５の位置が安定せず、避雷針１０５を溝１０６の最外側に配置してタッチパネル１０３のアンテナパターンとの間に所要の距離を確保することが困難であるという問題があった。
【０００８】
本発明は上記問題に鑑みてなされたもので、その目的とする処は、避雷針を絶縁ケースの溝内の最外側に安定的に配置してタッチパネルのアンテナパターンとの間に所要の距離を確保することができる操作パネルユニットの避雷針固定構造を提供することにある。
【課題を解決するための手段】
【０００９】
上記目的を達成するため、請求項１記載の発明は、矩形枠状の絶縁ケースの開口部をタッチパネルで覆い、該タッチパネルの内面側にＬＣＤを配置するとともに、前記絶縁ケースの開口部周縁に沿って形成された溝に針金を屈曲して成る矩形枠状の避雷針を配置して構成される操作パネルユニットの前記避雷針の固定構造であって、
前記避雷針の一辺を外側に向かって開くよう成形し、前記絶縁ケースの溝に沿って形成された複数の差込孔に楔状のサポート片を挿入固定し、前記絶縁ケースの溝に配置された前記避雷針を前記サポート片によって前記溝の幅方向外側に押圧するようにしたことを特徴とする。
【００１０】
請求項２記載の発明は、請求項１記載の発明において、前記避雷針の一方の長辺の長手方向略中央に該避雷針の切れ目を位置させ、該切れ目によって２分割された長辺の各分割片を外側に開く角度に折り曲げたことを特徴とする。
【００１１】
請求項３記載の発明は、請求項１又は２記載の発明において、前記サポート片の上端に、前記絶縁ケースの溝の一部を上方から部分的に覆う突起を突設したことを特徴とする。
【発明の効果】
【００１２】
請求項１及び２記載の発明によれば、一辺が外側に向かって開くよう成形された避雷針を絶縁ケースの溝に配置することによって該避雷針が溝内で広がるため、避雷針の溝内での位置が安定する。そして、絶縁ケースの溝に沿って形成された複数の差込孔に挿入固定される複数のサポート片によって溝内の避雷針が溝の幅方向外側に押圧されるため、避雷針が絶縁ケースの溝内の最外側に安定的に配置され、該避雷針とタッチパネルのアンテナパターンとの間に所要の距離が確保される。
【００１３】
請求項３記載の発明によれば、絶縁ケースの溝内に配置された避雷針の溝からの抜けがサポート片の上端に突設された突起によって確実に防がれる。
【図面の簡単な説明】
【００１４】
【図１】本発明に係る避雷針固定構造を備える操作パネルユニットの分解斜視図である。
【図２】本発明に係る避雷針固定構造を備える操作パネルユニットの底面図である。
【図３】図２のＡ−Ａ線断面図である。
【図４】図３のｂ部拡大詳細図である。
【図５】避雷針の平面図である。
【図６】サポート片の正面側斜視図である。
【図７】サポート片の背面側斜視図である。
【図８】サポート片を絶縁ケースに差し込む状態を示す部分斜視図である。
【図９】サポート片を絶縁ケースに差し込む状態を示す部分断面図である。
【図１０】従来の避雷針固定構造を備える操作パネルユニットの分解斜視図である。
【図１１】従来の避雷針固定構造を備える操作パネルユニットの底面図である。
【図１２】図１１のＣ−Ｃ線断面図である。
【発明を実施するための形態】
【００１５】
以下に本発明の実施の形態を添付図面に基づいて説明する。
【００１６】
図１は本発明に係る避雷針固定構造を備える操作パネルユニットの分解斜視図、図２は同操作パネルユニットの底面図、図３は図２のＡ−Ａ線断面図、図４は図３のＢ部拡大詳細図、図５は避雷針の平面図、図６はサポート片の正面側斜視図、図７は同サポート片の背面側斜視図、図８はサポート片を絶縁ケースに差し込む状態を示す部分斜視図、図９はサポート片を絶縁ケースに差し込む状態を示す部分断面図である。
【００１７】
本実施の形態に係る操作パネルユニット１は、図１に示すように、非導電性樹脂によって矩形枠状に一体成形された絶縁ケース２の開口部２ａを矩形プレート状のタッチパネル３で覆い、該タッチパネル３の内面側にＬＣＤ４を配置して構成されている。
【００１８】
上記タッチパネル３は、透視した画面の支持に従って指やペン等でこれを押圧すると、その押圧された位置の座標を読み取るアンテナパターンを備えるものであり、これの静電気対策として矩形枠状の避雷針５をタッチパネル３の周囲に配置する構成が採用されている。
【００１９】
上記避雷針５は、針金を矩形枠状に屈曲成形することによって得られ、図５に示すように長辺側の一辺が外側（図５の上方）に向かって開くように成形されている。より詳細には、避雷針５の一方の長辺の長手方向略中央に切れ目を位置させ、この切れ目によって２分割された長辺の各分割片５ａを外側に開く角度（９０°＋α）に折り曲げている。
【００２０】
ところで、絶縁ケース２の開口部２ａの周縁には、図８及び図９にその一部を示すように、上方が開口する縦断面矩形の溝６が形成されており、この溝６に図５に示すような長辺側の一辺が外側に向かって広げられた形状の避雷針５が上方から嵌め込まれて配置される。このとき、避雷針５の外側に向かって広げられた一方の長辺（２つの分割辺５ａ）は内側へと直角に折り曲げられ、当該避雷針５が絶縁ケース２の溝６に嵌め込まれて収容されると、折り曲げられていた一方の長辺（２つの分割辺５ａ）が弾性によって広がるため、避雷針５の全体が絶縁ケース２の溝６の幅方向外側に押し付けられ、該避雷針５の溝６内での位置が安定する。
【００２１】
ところで、本実施の形態では、絶縁ケース２には、図１に示すように複数の細長いスリット状の差込孔７が溝６に沿って形成されている。具体的には、絶縁ケース２の相対向する短辺側には各２つの差込孔７（図１には一方のみ図示）が適当な間隔でそれぞれ形成され、長辺側には４つの差込孔７（図１には一方のみ図示）が適当な間隔でそれぞれ形成されている。そして、これらの差込孔７には楔状のサポート片８が図８及び図９に示すように上方から差し込まれて図３に示すように絶縁ケース２に固定される。尚、図８に示すように、絶縁ケース２の各差込孔７が開口する箇所の一部には突起状のストッパ９が内側に向かってそれぞれ突設されており、絶縁ケース２の溝６に嵌め込まれた避雷針５の浮き上がりがストッパ９によって防がれ、サポート片８の差込孔７への差し込みが作業性良くなされる。
【００２２】
ここで、各サポート片８の構成の詳細が図６及び図７に示されるが、各サポート片８は樹脂によって略矩形平板状に一体成形されており、その上端の左右には係止突起８ａが一体に形成されている。又、図６に示すように、各サポート片８の表面（内側の面）下部の幅方向中央には係止爪８ｂが一体に突設されており、図７に示すように、各サポート片８の裏面（外側の面）の左右には縦方向に延びるリブ状の押圧部８ｃが突設されている。そして、各押圧部８ｃの上端部には、ブロック状の突起８ｄが外側に向かってそれぞれ突設されている。
【００２３】
而して、以上のように構成された各サポート片８は、図８及び図９に示すように、表面側を内側、係止爪８ｂ側を下側にして絶縁ケース２の各差込孔７に上方から差し込まれ、これが図３に示すように差込孔７に完全に差し込まれると、その下端に形成されて係止爪８ｂが絶縁ケース２の差込孔７の下端周縁に係合するため、該サポート片８が絶縁ケース２に固定される。このように各サポート片８が絶縁ケース２の各差込孔７にそれぞれ差し込まれて固定されると、図３及び図４に示すように、避雷針５が各サポート片８の左右の押圧部８ｃによって外側へと押圧され、該避雷針５は絶縁ケース２の溝６の幅方向外側に押し付けられた状態で保持される。又、絶縁ケース２の溝６の一部は、各サポート片８の上端に突設された左右の突起８ｄによって部分的に覆われるため、避雷針５の溝６からの抜けが突起８ｄによって確実に防がれる。
【００２４】
以上のように、本発明に係る避雷針５の固定構造によれば、一辺が外側に向かって開くよう成形された避雷針５を絶縁ケース２の溝６に配置することによって該避雷針５が溝６内で広がるため、避雷針５の溝６内での位置が安定する。そして、絶縁ケース２の溝６に沿って形成された複数の差込孔７に挿入固定される複数のサポート片８によって溝６内の避雷針５が溝６の幅方向外側に押圧されるため、避雷針５が絶縁ケース２の溝６内の最外側に安定的に配置され、該避雷針５とタッチパネル３のアンテナパターンとの間に所要の距離が確保される。
【００２５】
又、本実施の形態では、サポート片８の上端に、絶縁ケース２の溝６の一部を上方から部分的に覆う突起８ｄを突設したため、絶縁ケース２の溝６内に配置された避雷針５の溝６からの抜けがサポート片８の突起８ｄによって確実に防がれるという効果が得られる。
【符号の説明】
【００２６】
１      操作パネルユニット
２      絶縁ケース
２ａ    絶縁ケースの開口部
３      タッチパネル
４      ＬＣＤ
５      避雷針
５ａ    避雷針の分割辺
６      絶縁ケースの溝
７      絶縁ケースの差込孔
８      サポート片
８ａ    サポート片の係止突起
８ｂ    サポート片の係止爪
８ｃ    サポート片の押圧部
８ｄ    サポート片の突起
９      絶縁ケースのストッパ
【図１】
2014182625.tif 000003
【図２】
2014182625.tif 000004
【図３】
2014182625.tif 000005
【図４】
2014182625.tif 000006
【図５】
2014182625.tif 000007
【図６】
2014182625.tif 000008
【図７】
2014182625.tif 000009
【図８】
2014182625.tif 000010
【図９】
2014182625.tif 000011
【図１０】
2014182625.tif 000012
【図１１】
2014182625.tif 000013
【図１２】
2014182625.tif 000014